(57)【特許請求の範囲】
【請求項１】
赤外線ビームを投光する投光部と前記赤外線ビームを受光する受光部とを備え、人体等による前記赤外線ビームの遮断により人体等を検知する防犯用センサ装置であって、
前記投光部は、ベースにセンサ回路を覆うカバーが着脱自在に装着されてなり、かつ、前記カバーの開放を検出する開放検出スイッチと、この開放検出スイッチの検出動作により作動して前記カバーによる投光量の透過減衰分だけ投光量を減少させる投光抑制回路とを備えている防犯用センサ装置。
【請求項２】
赤外線ビームを投光する投光部と前記赤外線ビームを受光する受光部とを備え、人体等による前記赤外線ビームの遮断により人体等を検知する防犯用センサ装置であって、
前記受光部は、ベースにセンサ回路を覆うカバーが着脱自在に装着されてなり、かつ、前記カバーの開放を検出する開放検出スイッチと、この開放検出スイッチの検出動作により作動して前記カバーによる受光量の透過減衰分だけ受光器の受光信号のレベルを低下させる受光レベル抑制回路とを備えている防犯用センサ装置。
【請求項３】
赤外線ビームを投光する投光部と前記赤外線ビームを受光する受光部とを備え、人体等による前記赤外線ビームの遮断により人体等を検知する防犯用センサ装置であって、
前記受光部は、ベースにセンサ回路を覆うカバーが着脱自在に装着されてなり、かつ、前記カバーの開放を検出する開放検出スイッチと、この開放検出スイッチの検出動作により作動して開放検出信号を前記受光部から前記投光部に送出する送信回路とを備え、
前記投光部は、前記開放検出信号を受信する受信回路と、この受信回路での開放検出信号の受信により作動して前記カバーによる受光量の透過減衰分だけ投光量を減少させる投光抑制回路とを備えている防犯用センサ装置。
【発明の詳細な説明】
【０００１】
【発明の属する技術分野】
本発明は、投光部から出射する赤外線ビームを受光部で受光し、この赤外線ビームを不法浸入者が遮断したときに警報信号を発する防犯用センサ装置に関するものである。
【０００２】
【従来の技術】
この種の防犯用センサ装置は、直線的な警戒区域の両端部に、赤外線投光部の投光器と赤外線受光部の受光器とが、これらの光軸を互いに一致させた配置で設置されている。赤外線受光部では、受光器が赤外線ビームを受光してその赤外線受光量に応じた信号レベルの電気信号を出力し、この電気信号が、増幅回路で増幅されたのちに、検波回路で外乱光を除去して受光信号に応じたレベルの信号に変換され、この信号レベルが設定検知レベル以下であるか否かを信号判別回路で判別される。投光部からの赤外線ビームが不法浸入者により遮られて受光信号レベルが前記設定検知レベル以下になったときには、前記信号判別回路から検知信号が出力されて警報発生器が駆動され、警報信号が出力されて不法浸入のあったことを報知するようになっている。
【０００３】
前記防犯用センサ装置は、直線的な近距離から数百ｍの長距離までの警戒区域を設定できるものであり、長距離になる程、投光器と受光器間で光軸を正確に一致させて設置するのが難しくなる。そこで、従来の防犯用センサ装置には、投光部および受光部にそれぞれ光軸を調整するための照準器が設けられており、設置またはメンテナンスに際しては、投光部と受光部のそれぞれに設けられた照準器ののぞき窓を覗きながら、受光器の上下角および水平角を調整して目視により光軸を概ね合わせたのちに、受光部の検波回路に接続して内蔵された電圧計などのレベルメータにより受光器の赤外線受光量に比例した信号レベルを読み取りながら、その表示レベルが所定の受光レベル以上になるように受光器の前記角度を微調整して光軸の最終調整を行うようにしている。
【０００４】
【発明が解決しようとする課題】
このような光軸調整に際しては、内部の照準器の操作やレベルメータの表示を見るために、前記カバーを取り外す必要がある。ところが、前記カバーは赤外線ビームの一部（黒色カバーの場合30％程度）を吸収して減衰させるものであるため、光軸調整に際してカバーを取り外すと、赤外線ビームの投光量および受光量は共にカバーによる透過減衰分だけ増大することになる。このように赤外線ビームの信号レベルが高くなり過ぎると、受光部に設けられているＡＧＣ(Automatic Gain Control)回路による出力の飽和や、防犯用センサ装置を設置している壁面での赤外線ビームの反射などに起因して、光軸が不一致であっても受光信号が所定レベル以上となり、正確な光軸合わせが難しくなる。
【０００５】
そこで本発明は、投光部および受光部の何れか一方のカバーを開放した状態で光軸調整を正確に行うことができる防犯用センサ装置を提供することを目的とするものである。
【０００６】
【課題を解決するための手段】
上記した目的を達成するために、本発明の第１構成に係る防犯用センサ装置は、赤外線ビームを投光する投光部と前記赤外線ビームを受光する受光部とを備え、人体等による前記赤外線ビームの遮断により人体等を検知するものにおいて、前記投光部が、ベースにセンサ回路を覆うカバーが着脱自在に装着されてなり、かつ、前記カバーの開放を検出する開放検出スイッチと、この開放検出スイッチの検出動作により作動して前記カバーによる投光量の透過減衰分だけ投光量を減少させる投光抑制回路とを備えて構成されている。
【０００７】
この防犯用センサ装置は、設置時やメンテナンス時に光軸調整を行う場合、投光部のカバーを開放すると、その開放を開放検出スイッチが検出して投光抑制回路に対し検出信号を出力し、投光抑制回路がその検出信号の入力により投光部を制御して赤外線ビームをカバーによる透過減衰分だけ低減した信号レベルで出射させる。すなわち、投光部では、カバーが取り外されているにもかかわらず、力バーの装着時と同じ信号レベルの赤外線ビームが出射される。そのため、受光部では、受光信号が所定の信号レベルになるように照準器を操作することにより、投光部のカバーの着脱状態とは無関係に光軸を正確に調整することができる。
【０００８】
また、本発明の第２構成に係る防犯用センサ装置は、赤外線ビームを投光する投光部と前記赤外線ビームを受光する受光部とを備え、人体等による前記赤外線ビームの遮断により人体等を検知するものにおいて、 前記受光部が、ベースにセンサ回路を覆うカバーが着脱自在に装着されてなり、かつ、前記カバーの開放を検出する開放検出スイッチと、この開放検出スイッチの検出動作により作動して前記カバーによる受光量の透過減衰分だけ受光器の受光信号のレベルを低下させる受光レベル抑制回路とを備えて構成されている。
【０００９】
この防犯用センサ装置は、設置時やメンテナンス時に光軸調整を行う場合、受光部のカバーを開放すると、その開放を開放検出スイッチが検出して受光レベル抑制回路に対し検出信号を出力し、受光レベル抑制回路がその検出信号の入力により受光器の受光信号の信号レベルをカバーによる透過減衰分だけ低下させる。そのため、受光部の検波回路の出力を表示するレベルメータには、カバーが取り外されているにもかかわらず、カバーの装着時と同等の信号レベルで受光信号が表示される。したがって、例えば、受光部に、受光レベルを投光部へ伝達するための送受信手段を設けて（特開平4-71099 号公報参照）、投光部での光軸調整の精度を上げる場合、受光部のカバーの着脱状態と無関係に、投光部の光軸調整が可能となる。
【００１０】
また、本発明の第３構成に係る防犯用センサ装置は、赤外線ビームを投光する投光部と前記赤外線ビームを受光する受光部とを備え、人体等による前記赤外線ビームの遮断により人体等を検知するものにおいて、前記受光部は、ベースにセンサ回路を覆うカバーが着脱自在に装着されてなり、かつ、前記カバーの開放を検出する開放検出スイッチと、この開放検出スイッチの検出動作により作動して開放検出信号を前記受光部から前記投光部に送出する送信回路とを備え、前記投光部は、前記開放検出信号を受信する受信回路と、この受信回路での開放検出信号の受信により作動して前記カバーによる受光量の透過減衰分だけ投光量を減少させる投光抑制回路とを備えて構成されている。
【００１１】
この防犯用センサ装置では、設置時やメンテナンス時に光軸調整を行う場合、受光部のカバーを開放すると、そのカバーの開放検出信号が受信部の送信回路から投光部の受信回路に対し送信され、この受信回路での受信により投光抑制回路が作動し、投光部を制御して赤外線ビームを受光部のカバーによる透過減衰分だけ低減した信号レベルで出射させる。そのため、受光部では、投光部のカバーが装着されたままの状態において、受光信号が所定の信号レベルになるように受信部の照準器を操作することにより、光軸を正確に調整することができる。また、投光部のカバーを外す必要がないことから、作業性が向上する。
【００１２】
【発明の実施の形態】
以下、本発明の好ましい実施形態について図面を参照しながら詳述する。
図１は本発明の第１の実施形態に係る防犯用センサ装置を示すブロック構成図である。この防犯用センサ装置は、直線的な警戒区域の両端側の壁面またはポールに光軸を一致させて相対向する配置で設置される投光部１と受光部８とからなり、投光部および受光部８は共にユニット化された構成になっている。
【００１３】
投光部１は、投光器２，投光器駆動回路３，投光抑制回路４および投光側開放検出スイッチ７を有している。前記投光器２，投光器駆動回路３および投光抑制回路４は、後述するように、一対設けられているが、図１では一つのみを示している。投光器２は、赤外線発光ダイオードなどの発光素子と、近赤外線のような赤外線ビームＩＲを形成するための投光レンズまたは反射ミラーのような送信側光学系とを備えている。投光器駆動回路３は、発光素子を所定の周波数で発光駆動してパルス変調波からなる赤外線ビームＩＲを出射させる。
【００１４】
前記投光側開放スイッチ７は、後述のカバーのベースに対する開閉を検出する接触型または近接型のスイッチであり、この投光側開放スイッチ７としては、悪戯などによるカバーの開放を検出して警報信号を出力するための既存のダンパスイッチを兼用している。投光抑制回路４は、開放検出スイッチ７がカバーの開放を検出してオフしたときに、投光器駆動回路３に対し投光器２の発光素子への供給電力を低減するよう制御する。すなわち、投光抑制回路４は、発光素子から出射する赤外線ビームＩＲがカバーによる透過減衰分（例えば、30％）だけ低減する駆動電力を供給するように投光器駆動回路３を制御する。
【００１５】
一方、受光部８では、受光レンズまたは集光ミラーのような受信側光学系とフォトトランジスタなどの受光素子とを備えた受光器９が、投光部１からの赤外線ビームＩＲを受光して、その赤外線受光量に応じた電気信号を出力する。この電気信号が増幅回路１０で増幅されたのちに、検波回路1 1 で外乱光を除去されてパルス変調波のみによる受光信号のレベルに応じた信号に変換され、この信号レベルが設定検知レベル以下であるか否かを信号判別回路１２で判別される。投光部１からの赤外線ビームＩＲが不法浸入者により遮られて、受光信号レベルが予め設定された侵入検知レベル以下になったときに、信号判別回路１２から検知信号が出力されて警報回路１３が駆動され、不法浸入者が存在することを報知するための警報信号が、警報回路１３から例えば図示しない警備センターへ出力されるようになっている。
【００１６】
また、検波回路1 1 には電圧計などのレベルメータ１４が接続されており、このレベルメータ１４には、受光器９の赤外線受光量に比例した信号レベルが表示される。さらに、増幅回路１０は、受光器９からの受光信号のレベルに応じてＡＧＣ回路１７により利得制御されて、出力が常に一定の信号レベル以下になるよう制御される。検波回路１１には、レベルメータ１４とは別に、受光信号のレベルが所定レベルを越えたときに点灯するレベル表示器が接続されることもある。前記受光器９，増幅回路１０、検波回路１１、信号判別回路１２およびレベルメータ１４も、後述するように、一対設けられているが、図１では一つのみを示している。
【００１７】
さらに、受光部８は受光側開放スイッチ１８と受光レベル抑制回路１９とを有している。受光側開放スイッチ１８は、後述のカバーのベースに対する開閉を検出する接触型または近接型のスイッチであり、この受光側開放スイッチ１８としては、悪戯などによるカバーの開放を検出して警報信号を出力するための既存のダンパスイッチを兼用している。受光レベル抑制回路１９は、開放検出スイッチ１８がカバーの開放を検出してオフしたときに、ＡＧＣ回路１７に対し増幅回路１０の利得を下げるよう制御する。すなわち、受光レベル抑制回路１９は、ＡＧＣ回路１７を介し増幅回路１０の利得を下げさせて、受光器９からの受光信号の信号レベルをカバーによる透過減衰分（例えば30％）だけ低減して増幅するように制御する。
【００１８】
図２は受光部８の一部破断した斜視図を示し、投光部１も同様の構成になっているので、同図には投光部１における相当部品に対応する符号をも合わせて付してある。受光部８は、壁などの取付面に取り付けられる取付用ベース２０と、この取付用ベース２０に着脱自在に取り付けられたカバー２１とにより、受光器９の外体ケース２２が構成されており、取付用ベース２０には、カバー２１の開放を検出する図１の開放検出スイッチ１８が設けられている。前記カバー２１は、近赤外線を約30％減表させるだけで比較的良好に透過させる樹脂などの材料からなり、かつ、可視光線の透過を防げる黒色もしくはそれに近い暗色を呈するように処理されている。
【００１９】
取付用ベース２０には上下の支持部材２８，２９が固定されており、これら両支持部材２８，２９には、受光器シャーシ２７が上下の支軸３０，３１回りに回動自在に取り付けられている。受光器シャーシ２７内には、レンズホルダ３７が左右の水平軸３３，３４回りに回動自在に取り付けられている。レンズホルダ３７には、上下一対の受光レンズ２３がレンズケース２４を介して保持されており、レンズホルダ３７の内部における受光レンズ２３の後方位置には、この受光レンズ２３と共に受光器９を構成する発光素子（図示せず）がプリント基板（図示せず）に実装して配置されている。
【００２０】
したがって、受光器９は、受光器シャーシ２７が後述するように支軸３０，３１回りに回動されることによって水平角（図２のｈ方向の角度）を可変調整され、かつ、レンズホルダ３７が後述するように水平軸３３，３４回りに回動されることによって上下角（図２のｖ方向の角度）を可変調節され、それにより、図１の投光器２に対する光軸合わせができるようになっている。この光軸調整は後述の照準器を用いて行われる。また、レンズホルダ３７の内部には図１の構成のセンサ回路が前記プリント基板に実装して設けられている。こうして、センサ回路はレンズホルダ３７を介してカバー２１により覆われる。
【００２１】
下方の支軸３１には、受光器シャーシ２７を介して受光器９のレンズホルダ３７の水平角を調整するダイヤル３２が固定されている。また、受光器シャーシ２７の下部前面に形成した取付フランジ３８には調整ねじ３９が回動自在に結合され、その調整ねじ３９は、レンズホルダ３７の下端から突出して取付フランジ３８の後方に位置する突部４０にねじ込まれている。したがって、ダイヤル３２を回転操作すれば、受光器シャーシ２７を介して受光器９の水平角を調整でき、かつ、調整ねじ３９を回転操作すれば、レンズホルダ３７を介して受光器９の上下角を調整することができる。なお、２つの受光器９から共に検知信号が出力されたときに警報回路１３から警報信号を出力するようになっている。
【００２２】
レンズホルダ３７における上下方向の中間部には、光軸調整を行うための照準器４１が設けられている。この照準器４１は、照準器ケース４２に設けられた左右一対ののぞき窓４３，４４と、左右一対の照準孔４７，４８と、照準器ケース４２内に設けられた図示しない左右一対の反射ミラーとを備えている。この照準器４１は、のぞき窓４３または４４からのぞきながらダイヤル３２または調整ねじ３９を操作して受光器９の水平角または上下角を調整して、前記反射ミラーに映る投光器２の像と照準孔４７または４８とが重なるように操作することにより、光軸合わせできるようになっている。なお、図１の投光器２も上述した受光器９と同様の構成になっている。
【００２３】
この防犯用センサ装置では、設置時やメンテナンス時に光軸調整を行う場合、先ず、投光部１のカバー２１を開放して、照準器４１ののぞき窓４２または４３を覗きながらダイヤル３２および調整ねじ３９を操作して、光軸を調整する。つぎに、受光部８のカバー２１を開放して、同様に照準器４１を見ながらダイヤル３２および調整ねじ３９を操作して光軸の粗調整を行う。つづいて、図１のレベルメータ１４の表示を見ながら表示しベルが最大値になるように、ダイヤル３２および調整ねじ３９を操作して光軸の微調整を行う。レベルメータ１４の表示が所定レベル以上になるまで、つまり受光器９の光軸が投光器２に正確に一致すまで、このような投光部１および受光部８の光軸調整を必要に応じて複数回繰り返す。
【００２４】
ここで、投光部１のカバーを開放すると、その開放を開放検出スイッチ７が検出して投光抑制回路４に対し検出信号を出力する。投光抑制回路４は、前記検出信号の入力により、投光器駆動回路３に対し投光器２の発光素子への供給電力を低減するよう制御する。それにより、投光器２からは、カバーによる透過減衰分だけ信号レベルを低減した赤外線ビームＩＲが出射される。すなわち、投光部１では、カバー２１が開放されているにもかかわらずカバー２１の装着時と同じ信号レベルで赤外線ビームＩＲが出射される。そのため、受光部８では投光部１のカバー２１の脱着状態とは無関係に光軸調整できるので、作業性が向上する。
【００２５】
他方、上述の受光部８の光軸調整時には、カバー２１の開放を開放検出スイッチ１８が検出して受光レベル抑制回路１９に対し検出信号を出力し、受光レベル抑制回路１９が、その検出信号の入力により受光器９の受光信号の信号レベルをカバー２１による透過減衰分だけ低下させるように、ＡＧＣ回路１７を介して増幅回路１０を利得制御する。そのため、受光部８の検波回路１１の出力を表示するレベルメータ１４には、カバー２１が開放されているにもかかわらずカバー２１の装着時と同じ信号レベルで受光信号が表示される。したがって、例えば、受光部８に、受光レベルを投光部１へ伝達するための送受信手段を設けて、投光部１での光軸調整の精度を上げる場合、受光部８のカバー２１の着脱状態と無関係に、投光部１の光軸調整が可能となる。
【００２６】
図３は本発明の第２の実施形態に係る防犯用センサ装置を示す要部のブロック構成図であり、同図において、図１と同一若しくは同等のものには同一の符号を付して、その詳しい説明を省略する。受光部８のカバー２１を外して受光部８の光軸調整を行う際、この防犯用センサ装置では、投光抑制回路４が、開放検出スイッチ７から検出信号が入力されたときに、投光器駆動回路３から投光器２の発光素子への供給電力を低減するよう制御して、投光器２から通常時の信号レベルに対し60％低減した信号レベルの赤外線ビームＩＲを出射させるようになっている。したがって、受光部８としては、図１の受光レベル抑制回路１９の存在しない既存のものが用いられている。
【００２７】
この防犯用センサ装置では、カバー２１が開放されているにもかかわらず、カバー２１の装着時と同じ信号レベルの赤外線ビームＩＲが出射される。そのため、受光部８では、投光部１のカバーの脱着状態とは無関係に光軸調整できるので、作業性が向上する。
【００２８】
図４は本発明の第３の実施形態に係る防犯センサ装置を示す要部のブロック構成図であり、同図において、図１と同一若しくは同等のものには同一の符号を付して、その詳しい説明を省略する。この防犯センサ装置では、受光部８に、開放検出スイッチ１８から入力された開放検出信号を投光部１に向け送出する送信回路５０が設けられ、投光部１に、送信回路５０から送出された開放検出信号を受信して投光抑制回路４に対し入力する受信回路５１が設けられている。受光部８には、図１の受光レベル抑制回路１９は設けられていない。
【００２９】
この防犯センサ装置では、受光部８のカバー２１を開放すると、そのカバー２１の開放検出信号が送信回路５０から投光部１の受信回路５１に対し送信され、投光抑制回路４が開放検出信号の受信回路５１への入力により投光器駆動回路３への駆動電力を低減して、受光部８のカバー２１による透過減衰分である３０％だけ通常時よりも低減した赤外線ピームを出射させる。一方、投光抑制回路４に、投光部１の開放検出スイッチ７および受信回路５１の双方から共に開放検出信号が入力されている場合には、投光抑制回路４が通常時よりも６０％低減した赤外線ビームＩＲを出射するよう投光器駆動回路３を制御する。そのため、受光部８では、投光部１のカバー２１の着脱状態と無関係に、受信信号が所定の信号レベルになるように照準器を操作することにより、光軸を正確に調整することができる。また、受光部８では、投光部１のカバー２１を外すことなく光軸調整できるから、作業性が向上する。
【００３０】
【発明の効果】
以上のように、本発明の第１構成に係る防犯用センサ装置によれば、投光部のカバーの開放を開放検出スイッチが検出したときに、投光抑制回路が投光部を制御して赤外線ビームＩＲをカバーによる透過減衰分だけ低減した信号レベルで出射させるので、投光部では、カバーが取り外されているにもかかわらずカバーの装着時と同じ信号レベルの赤外線ビームが出射されるため、受光部では、受光信号が所定の信号レベルになるように照準器を操作することにより、投光部のカバーの着脱状態とは無関係に光軸を正確に調整することができる。
【００３１】
本発明の第２構成に係る防犯用センサ装置によれば、受光部のカバーの開放を開放検出スイッチが検出したときに、受光レベル抑制回路がその検出信号の入力により受光器の受光信号の信号レベルをカバーによる透過減衰分だけ低下させるので、例えば、受光部に、受光レベルを投光部へ伝達するための送受信手段を設ければ、投光部での光軸調整の精度を上げる場合、受光部のカバーの着脱状態と無関係に、投光部の光軸調整が可能となる。
【００３２】
本発明の第３構成に係る防犯用センサ装置によれば、受光部のカバーを開放すると、そのカバーの開放検出信号が送信回路から投光部の受信回路に対し送信され、この受信回路での受信により投光抑制回路が作動し、投光部を制御して赤外線ビームを受光部のカバーによる透過減衰分だけ低減した信号レベルで出射させるので、投光部のカバーが装着されたままの状態で、受光信号が所定の信号レベルになるように受光部の照準器を操作することにより、光軸を正確に調整することができる。また、投光部のカバーを外す必要がないことから、作業性が向上する。
【図面の簡単な説明】
【図１】本発明の第１実施形態の防犯用センサ装置を示すブロック構成図である。
【図２】同上の防犯用センサ装置における受光部の一部破断した斜視図である。
【図３】本発明の第２実施形態の防犯用センサ装置の要部を示す要部ブロック構成図である。
【図４】本発明の第３実施形態の防犯センサ装置を示すブロック構成図である。
【符号の説明】
１…投光部、４…投光抑制回路、８…受光部、７，１８…開放検出スイッチ、１９…受光レベル抑制回路、２０…ベース、２１…カバー、５０…送信回路、５１…受信回路、ＩＲ…赤外線ビーム
【図１】
0004761340.tif 000002
【図２】
0004761340.tif 000003
【図３】
0004761340.tif 000004
【図４】
0004761340.tif 000005